(57)【要約】      （修正有）【課題】ハニカム型の型枠ブロックの下部にロープを交差状に敷設し、型枠ブロックの上縁より接続金具を以ってロープと型枠ブロックとを固定する連結固定装置を提供する。【解決手段】ハニカム型に展張された型枠ブロック１は、高密度ポリエチレンの合成樹脂によって、長手方向に湾曲凸部２と湾曲凹部３とを交互に帯状に多数形成され、該型枠ブロックの湾曲凸部の底部に交差状にロープ５を敷設し、該湾曲凸部の上端縁より略逆Ｕ字状の接続金具６を嵌入し、該接続金具の両先端を該ロープに巻着部を設けて両者を固定することを特徴としている。【選択図】図１
0003165066.tif 000002
【実用新案登録請求の範囲】
【請求項１】
ハニカム型に展張された型枠ブロック（１）を設け、該型枠ブロック（１）は、高密度ポリエチレンの合成樹脂を以って長手方向に湾曲凸部（２）と湾曲凹部（３）とを連帯して形成し、該湾曲凸部（２）には、下部にロープ（５）を交差状に敷設し、該湾曲凸部（２）には、上縁より嵌入部（７）を設けた略逆Ｕ字状の接続金具（６）を嵌合し、該接続金具（６）の両端を該ロープ（５）の外周に巻付ける巻着部（８）（８）によって固定することを特徴とした型枠ブロックの連結固定装置。
【請求項２】
請求項１における型枠ブロック（１）の並設する相対応する湾曲凸部（２）と湾曲凸部（２）との接合部（１０）の上部より該接続金具（６）を嵌合したことを特徴とした型枠ブロックの連結固定装置。
【考案の詳細な説明】
【技術分野】
【０００１】  本考案は、土木工事の河川護岸等の際に使用される高密度ポリエチレンの合成樹脂よりなるハニカム状の軽量な型枠ブロックによって、法面の保護及び路盤の安定用に使用する時に各型枠ブロックを前後左右に固定するのに、各型枠ブロックの湾曲凸部又は湾曲凹部の下部にロープ敷設して型枠ブロックと該ロープとを上部よりの接続金具によって連結固定させるための型枠ブロックの連結固定装置に関するものである。
【背景技術】
【０００２】  従来この種の型枠ブロックの固定装置としては、型枠ブロックの接合面に孔を穿設して鉄線及びワッシャ等を以って結束するものか、空気工具であるエアーステープラーを使用するものでは、発電機及びエアーコンプレッサー等が作業に必要となる問題点がある。
【先行技術文献】
【特許文献】
【０００３】
【特許文献１】特許第２７８４３１５号公報
【考案の概要】
【考案が解決しようとする課題】
【０００４】  本考案は、上記従来で実施されているものでは、先に述べている鉄線等で結束するものでは、非常に挿通する手間が掛かると共に、それ自体に強靭性が無く、短期間に於いて鉄錆が発生し、長期間に亘って充分な効果を達成できない欠点がある。
また、エアーステープラーによる固定方法では、帯状の接合部において、金属ステープルが横方向に対する強度は充分に考えられるが、前後の引っ張りに対する強度が不足する欠点と、鉄製である部材も細いために鉄錆が容易に生ずる欠点がある。
本考案は、上記の各欠点に鑑みて考案したもので、その主たる目的とする所は、型枠ブロックを強固に敷設するために、型枠ブロックの下部にロープを敷設して、型枠ブロックの上部より接続金具を嵌入して両先端を該ロープに巻付けて連結して固定するものである。
【課題を解決するための手段】
【０００５】  以上の目的を達成するために、本考案においては、配列された型枠ブロックは、その構成材料をポリエチレンの合成樹脂を以って長手方向に湾曲凸部と湾曲凹部を形成し、該型枠ブロックと交差するように底部に合成樹脂等のロープを敷設する。該型枠ブロックの該湾曲凸部の上縁より略逆Ｕ字状の接続金具を嵌合すると共に、該接続金具の両端を下部の該ロープに巻付けて固定するものである。
【考案の効果】
【０００６】  本考案は、従来のように、型枠ブロックに孔を穿設する面倒な手間が不要となると共に、空気工具のエアーコンプレッサーも使用する必要もない便利な効果と、鉄製により生ずる錆に対しても充分に対処できる効果もある。そして、各型枠ブロックの構成材料を高密度ポリエチレン製の合成樹脂を使用したので、非常に軽量であると共に、著しく強靭化される効果がある。そして、型枠ブロックと交差して下部に敷設されたロープは、作業が簡便である効果がある。また、型枠ブロックの湾曲凸部より嵌入した略逆Ｕ字状の接続金具は、安定よく型枠ブロックに嵌着され、ハニカム型の開口部を維持し、且つ接続金具の両端は、ロープに強固に巻着されるため、長期間に亘って強固な固定ができる効果がある。
【図面の簡単な説明】
【０００７】
【図１】  本考案の型枠ブロックとロープとを接続金具を以って固定した全体の斜面図である。
【図２】  同じく本考案のロープに接続金具を巻着した斜面図である。
【図３】  同じく本考案の型枠ブロックの一部拡大した斜面図である。
【図４】  同じく本考案の接続金具の使用状態の全体斜面図である。
【考案を実施するための形態】
【０００８】  上記のように構成されているハニカム型に展張された型枠ブロック（１）は、長手方向に湾曲凸部（２）と湾曲凹部（３）とを連接展張した状態の後に、該湾曲凸部（２）と交差してロープ（５）を長手方向に敷設する。そして、該湾曲凸部（２）の上縁より接続金具（６）を嵌合し、その接続金具（６）の両端部の延長された端縁をロープ（５）に巻付けして巻着部（８）によって固定して、ハニカム型の展張を維持し、ハニカム型の開口部（９）に植生土を入れたり、河川護岸及び河床安定用等に敷設して使用するものである。
【実施例】
【０００９】  本考案の実施例を図面について説明すると、図１及び図３に示す如く、ハニカム状に展開された型枠ブロック（１）は、高密度ポリエチレンの合成樹脂を以って長手方向の湾曲凸部（２）と、交互に湾曲凹部（３）とによる多数の帯状体により構成され、該湾曲凹部（３）と隣接する該湾曲凸部（２）とを接着による接合部（１０）を以って多数の開口部（９）を形成している。
また、該型枠ブロック（１）の該湾曲凸部（２）には、下部に金属又は合成樹脂等の各種の構成材料よりなるロープ（５）を交差状に敷設する。該湾曲凸部（２）には、上縁より嵌合する嵌入部（７）を設けた略逆Ｕ字状の接続金具（６）を嵌合固定したものである。【００１０】  次に、図２、図４に示すものは、該接続金具（６）に設けた該嵌入部（７）の両先端を該ロープ（５）の外周に複数巻付けした巻着部（８）（８）を形成し、該型枠ブロック（１）を該ロープ（５）に強固に取着したものである。【００１１】  また、型枠ブロック（１）をハニカム型に形成する湾曲凸部（２）と並設する湾曲凸部（２）との重合する二重部分の接合部（１０）の上部にも接続金具（６）を嵌合し、その両先端部を該ロープ（５）に巻着部（８）（８）を以って固定するものである。
なお、符号（１１）は溶接部で、型枠ブロック（１）の両端部を接着したものである。
【符号の説明】
【００１２】１            型枠ブロック
２            湾曲凸部
３            湾曲凹部
５            ロープ
６            接続金具
７            嵌入部
８            巻着部
９            開口部
１０          接合部
１１          溶接部
【図１】
0003165066.tif 000003
【図２】
0003165066.tif 000004
【図３】
0003165066.tif 000005
【図４】
0003165066.tif 000006